(57)【要約】【課題】背もたれを備えることでベンチとして利用しやすい折り畳み式ベンチを提供する。【解決手段】折り畳み式ベンチ１である。この折り畳み式ベンチ１は、正面部２と、正面部２に対向する背面部３と、対向する一対の側面部４、４であって、正面部２と背面部３とに回動自在に連結され、それぞれ２つ折りに折り曲げ可能に構成された、一対の側面部４、４と、正面部２に回動可能に連結されて、正面部２及び一対の側面部４、４の上に載置される座部５と、座部５に回動可能に連結された背もたれ部６と、を備えている。【選択図】図１
2018175002.tif 000002
【特許請求の範囲】
【請求項１】
正面部と、
前記正面部に対向する背面部と、
対向する一対の側面部であって、前記正面部と前記背面部とに回動自在に連結され、それぞれ２つ折りに折り曲げ可能に構成された、一対の側面部と、
前記正面部に回動可能に連結されて、前記正面部及び前記一対の側面部の上に載置される座部と、
前記座部に回動可能に連結された背もたれ部と、
を備える、折り畳み式ベンチ。
【請求項２】
前記背もたれ部と前記背面部とを連結するリンク部材をさらに備え、
前記背もたれ部は、前記正面部から前記背面部までの距離に連動して、前記座部に対する傾斜角度を変えるようにされている、請求項１に記載された折り畳み式ベンチ。
【請求項３】
前記一対の側面部の２つ折りの折曲角度は、１８０度よりも小さくされることで、下方から座部を支持できるようにされている、請求項１又は請求項２に記載された折り畳み式ベンチ。
【請求項４】
前記背もたれ部は、前記座部に対する傾斜角度が１８０度にされて、前記座部と略同一平面を構成するようになっている、請求項１乃至請求項３のいずれか一項に記載された折り畳み式ベンチ。
【請求項５】
前記一対の側面部の２つ折りの折曲角度は、前記背もたれ部と前記座部とが略同一平面を構成する状態においても１８０度よりも小さくされて、下方から前記背もたれ部と前記座部とを支持できるようにされている、請求項４に記載された折り畳み式ベンチ。
【請求項６】
前記座部の背面寄りの端縁近傍に配置される持ち手をさらに備え、
前記持ち手を上方に持ち上げることによって、前記一対の側面部が２つ折りに折り曲げられ、前記座部と前記背もたれ部とが近接され、かつ、前記正面部と前記背面部とが近接されるようになっている、請求項１乃至請求項５のいずれか一項に記載された折り畳み式ベンチ。
【発明の詳細な説明】
【技術分野】
【０００１】
本発明は折り畳み式ベンチに関するものである。
【背景技術】
【０００２】
従来から、互いに対向する一対の側板部と、この一対の側板部の両側縁に回動可能に取り付けられて中央にて折り曲げ可能にされた別の一対の側板部と、これらの側板部の上側に載置されて一対の側板部に両側縁が回動可能に取り付けられるとともに、両側縁の中央にて外方に向けて折り曲げ可能に連結された踏み板部と、を備えた折り畳み式踏み台が知られている（特許文献１参照）。
【０００３】
この種の踏み台は、把持部を持ち上げることによって、踏み板部が折り曲げられるとともに、一対の側板部が中央にて折り曲げられて、全体がコンパクトに折り畳まれる。したがって、把持部を手で持って踏み台を持ち運ぶことが可能であるうえ、踏み台の収容スペースを少なくすることが可能である。
【先行技術文献】
【特許文献】
【０００４】
【特許文献１】特開２０１５−１３９５５３号公報
【発明の概要】
【発明が解決しようとする課題】
【０００５】
しかしながら、特許文献１に記載された従来の踏み台は、折り畳み動作が簡単で、踏み台としては使用できるものの、他の用途には利用しにくいものとなっていた。例えば、背もたれがないため、ベンチとして利用しにくいものとなっていた。
【０００６】
そこで、本発明は、背もたれを備えることでベンチとして利用しやすい折り畳み式ベンチを提供することを目的としている。
【課題を解決するための手段】
【０００７】
前記目的を達成するために、本発明の折り畳み式ベンチは、正面部と、前記正面部に対向する背面部と、対向する一対の側面部であって、前記正面部と前記背面部とに回動自在に連結され、それぞれ２つ折りに折り曲げ可能に構成された、一対の側面部と、前記正面部に回動可能に連結されて、前記正面部及び前記一対の側面部の上に載置される座部と、前記座部に回動可能に連結された背もたれ部と、を備えている。
【発明の効果】
【０００８】
このように、本発明の折り畳み式ベンチは、正面部と、背面部と、２つ折りに折り曲げ可能に構成された一対の側面部と、正面部に回動可能に連結されて、正面部及び一対の側面部の上に載置される座部と、座部に回動可能に連結された背もたれ部と、を備えている。このような構成によって、折り畳み動作が簡単であり、かつ、背もたれを備えることでベンチとして利用しやすい折り畳み式ベンチとなる。
【図面の簡単な説明】
【０００９】
【図１】ベンチとして使用される状態の折り畳み式ベンチの側面図である。
【図２】テーブルとして使用される状態の折り畳み式ベンチの側面図である。
【図３】折り畳まれた状態の折り畳み式ベンチの側面図である。
【図４】ベンチとして使用される状態の折り畳み式ベンチの正面図である。
【図５】テーブルとして使用される状態の折り畳み式ベンチの平面図である。
【図６】ベンチとして使用される状態の折り畳み式ベンチの斜視図である。
【図７】座部が少し持ち上げられた状態の折り畳み式ベンチの斜視図である。
【図８】座部がさらに持ち上げられた状態の折り畳み式ベンチの斜視図である。
【図９】折り畳まれた状態の折り畳み式ベンチの斜視図である。
【図１０】折り畳まれた状態の折り畳み式ベンチを撮影した写真である。
【図１１】テーブルに展開する途中の状態の折り畳み式ベンチを撮影した写真である。
【図１２】テーブルに展開された状態の折り畳み式ベンチを撮影した写真である。
【図１３】ベンチに展開する途中の状態の折り畳み式ベンチを撮影した写真である。
【図１４】ベンチに展開された状態の折り畳み式ベンチを撮影した写真である。
【図１５】ベンチに展開された状態の折り畳み式ベンチを背面から撮影した写真である。
【図１６】折り畳み式ベンチの脚部を拡大して撮影した写真である。
【発明を実施するための形態】
【００１０】
以下、本発明の実施の形態について図面を参照して説明する。
【実施例１】
【００１１】
（全体構成）
はじめに、図１〜図５を用いて、本実施例の折り畳み式ベンチ１の構成について説明する。本実施例の折り畳み式ベンチ１は、図１に示すように、正面部２と、正面部２に対向する背面部３と、対向する一対の側面部４、４であって、正面部２と背面部３とに回動自在に連結され、それぞれ２つ折りに折り曲げ可能に構成された、一対の側面部４、４と、正面部２に回動可能に連結されて、正面部２及び一対の側面部４、４の上に載置される座部５と、座部５に回動可能に連結された背もたれ部６と、を備えている。また、折り畳み式ベンチ１は、背もたれ部６と背面部３とを連結するリンク部材７をさらに備えている。
【００１２】
正面部２は、図４に示すように、金属製の板を加工することによって、正面から見て長方形のトラス状の本体部２０と、長方形のトラス状の本体部２０の両端から下方に突き出た脚部２１、２１と、を備えている。さらに、本体部２０の両端の上縁近傍には、座部５を回動可能に連結するためのボス部２２、２２が溶接によって取り付けられている。なお、正面部２は、必ずしも金属製の板によってトラス状に形成される必要はなく、例えば金属製の管によって格子状に形成されることなども可能である。
【００１３】
背面部３は、正面部２と同様に、金属製の板を加工することによって、正面から見て長方形のトラス状の本体部３０（不図示、以下も同様）と、長方形のトラス状の本体部３０の両端から下方に突き出た脚部３１、３１と、を備えている。さらに、本体部３０の両端の上縁近傍には、背もたれ部６を回動可能に連結するためのボス部３２、３２が溶接によって取り付けられている。なお、背面部３は、必ずしも金属製の板によってトラス状に形成される必要はなく、例えば金属製の管によって格子状に形成されることなども可能である。
【００１４】
側面部４は、図１に示すように、正面側の第１側面部材４１と、この第１側面部材４１と線対称な形状の背面側の第２側面部材４２と、が中央において回動可能に連結されて構成されている。すなわち、側面部４は、連結箇所を折り曲げ線として、座部５の下方に向かって内側に（平面視で）「く」の字状に折り曲げ可能に形成されている。
【００１５】
より具体的にいうと、第１側面部材４１の背面側の端部の上縁及び下縁には、ボス部４１ａ、４１ａが溶接によって取り付けられるとともに、第２側面部材４２の正面側の端部の上縁及び下縁には、ボス部４２ａ、４２ａが溶接によって取り付けられて、ボス部４１ａ、４２ａに回転軸が挿通されることで第１側面部材４１と第２側面部材４２とが、中央で２つ折りに折り曲げ可能となっている（図５参照）。
【００１６】
後述する図５に示すように、２つ折りにされた側面部４（４１、４２）のなす角度は、１８０度よりも小さくされている。したがって、「く」の字に折り曲げられた側面部４は、座部５の下に入り込み、座部５を下方から支持するようになっている。すなわち、ベンチとして使用される場合でも、テーブルとして使用される場合でも、第１側面部材４１と第２側面部材４２の間の角度は、１８０度よりも小さくされている。このように構成することによって、ベンチとして比較的大きい荷重を支えるときには側面部４が内側まで深く入り込んで下方から座部５を支え、テーブルとして比較的小さい荷重を支えるときには側面部４が浅く入り込んで下方から座部５を支えるようになっている。
【００１７】
座部５は、図５に示すように、金属製の板を加工することによって、上から見て長方形のトラス状の枠部５０と、枠部５０の上に取り付けられた複数の細長い板片５１、・・・と、を備え、全体として「すのこ状」に形成されている。座部５の横幅（長さ）は、正面部２の横幅（長さ）よりも広くされており、正面部２に下方から支持されるようになっている。なお、座部５は、必ずしも金属製の板によってトラス状に形成される必要はなく、例えば格子状に形成されることなども可能である。後述するように、座部５は、側面部４（４１、４２）によって下方から支持されている。さらに、座部５の背面側の端縁の中央近傍には、折り畳み式ベンチ１を手で持って引き上げやすいように持ち手８が配置されている。
【００１８】
そして、座部５の枠部５０の左右の両側縁には、正面側において正面部２を回動可能に連結するための孔５２、５２と、背面側の途中において背もたれ部６を回動可能に連結するための孔５３、５３と、が設けられている。
【００１９】
背もたれ部６は、図５に示すように、金属製の板を加工することによって、長方形のトラス状の枠部６０と、枠部６０の上に取り付けられた複数の細長い板片６１、・・・と、を備え、全体として「すのこ状」に形成されている。なお、背もたれ部６は、必ずしも金属製の板によってトラス状に形成される必要はなく、例えば格子状に形成されることなども可能である。背もたれ部６の左右両端は、座部５に回動可能に連結されている。さらに、背もたれ部６は、左右の両端近傍と中央近傍とにおいてリンク部材７、・・・によって背面側から支持されて、斜めに傾斜した状態で固定されている。
【００２０】
リンク部材７は、両端近傍に孔が設けられた金属製のアーム状（細長い板状）に形成される。リンク部材７は、第１の端部が背面部３の両端の上縁近傍に連結されるとともに、第２の端部が背もたれ部６の途中に連結される。したがって、正面部２から背面部３までの距離に連動して、リンク部材７が回転及び移動することによって、背もたれ部６の座部５に対する傾斜角度を変えるようになっている。
【００２１】
そして、本実施例の折り畳み式ベンチ１は、以下に説明するように、ベンチ又はテーブルとして使用されることができるうえ、簡易な動作によって折り畳むことのできる折り畳み式ベンチ１である。
【００２２】
（ベンチとして使用される状態）
折り畳み式ベンチ１がベンチとして使用される状態では、図１、図４に示すように、背もたれ部６が座部５に対して約８０度の傾斜角度で斜めに立ち上がっている。より具体的にいうと、背面部３が正面部２に対して座部５の奥行と略同一距離まで広げられることで、リンク部材７の回転軸３４と背もたれ部６の回転軸５３が近いため、背もたれ部６が立ち上がる状態となる。
【００２３】
（テーブルとして使用される状態）
折り畳み式ベンチ１がテーブル（又は座面の広いフラットなベンチ）として使用される状態では、図２、図５に示すように、背もたれ部６の座部５に対する傾斜角度が１８０度とされて、背もたれ部６と座部５が略同一平面を構成している。より具体的にいうと、背面部３が正面部２に対して座部５及び背もたれ部６の奥行の合計と略同一距離まで広げられることで、リンク部材７と背もたれ部６が重なり合って、背もたれ部６が略水平に寝た状態となる。
【００２４】
（折り畳まれた状態）
折り畳み式ベンチ１が折りたたまれた状態では、図３に示すように、背もたれ部６と座部５とが近接するようにされ、２つの側面部４、４も２つ折りにされ、かつ、正面部２と背面部３とが近接されるようになる。すなわち、座部５と背もたれ部６の連結箇所（回転軸５３）では、板片５１、６１が外側を向くように、座部５の下面と背もたれ部６の背面とが向き合うように折り畳まれる。また、側面部４は、第１側面部材４１と第２側面部材４２とが、互いの外面が向かい合うように、２つ折りに折り畳まれる。
【００２５】
（折り畳みの手順）
次に、図６〜図９を用いて、本実施例の折り畳み式ベンチ１を折り畳む手順について説明する。ベンチとして使用される状態では、図６及び図１４に示すように、座部５が略水平で、背もたれ部６が斜めに傾斜して立ちあがった状態となっている。
【００２６】
次に、図７に示すように、座部５の背面側の側縁中央近傍に位置する持ち手８（不図示、図５参照）を手で把持して、持ち手８を上方に引き上げることによって、座部５の背面側が持ち上がるとともに、座部５に連結された背もたれ部６も連動して、背もたれ部６の基端部（付け根）が持ち上がる。この際、座部５及び背もたれ部６の重量が内向きに作用するため、側面部４、４も折り畳まれる。
【００２７】
次に、図８に示すように、持ち手８（不図示、図５参照）をさらに上方に引き上げることによって、座部５の背面側がよりいっそう持ち上がるとともに、背もたれ部６の基端部（付け根）がよりいっそう持ち上がる。この際、座部５及び背もたれ部６の重量が内向きに作用するため、側面部４、４も、よりいっそう折り畳まれる。
【００２８】
最後に、図９に示すように、第１側面部材４１と第２側面部材４２とが接するまで変形したところで、折り畳み式ベンチ１の折り畳みが完了する。
【００２９】
（展開の手順）
次に、図１０〜図１６の写真を用いて、本実施例の折り畳み式ベンチ１を展開する手順について説明する。はじめに、折り畳み式ベンチ１をフラットなテーブルとして利用する場合について説明する。まず、図１０〜図１２に示すように、正面部２及び座部５（又は背面部３及び背もたれ部６）を持って上に持ち上げつつ、背面部３から離れる方向に引き離す。そうすると、これに連動して座部５及び背もたれ部６は、立ちあがった状態からフラットな（略水平な）状態に、傾斜角度が小さくなる。そして、座部５と背もたれ部６とが、略完全に同一平面を構成するフラットな状態になれば、正面部２を下に降ろすことで、折りたたみ式ベンチ１をフラットなテーブルとして利用することができる状態となる。
【００３０】
次に、折り畳み式ベンチ１をベンチとして利用する場合について説明する。まず、図１２〜図１４に示すように、背もたれ部６を持って起こすようにする。この際には、背もたれ部６とともに背面部３も持ち上げるようにする。そうすると、背もたれ部６の起き上がりに連動して背面部３は、正面部２に近づく方向に移動する。そして、適切な傾斜角度まで背もたれ部６を起こした後に、背もたれ部６及び背面部３を下に降ろすことで、折り畳み式ベンチ１をベンチとして利用することができる状態となる。
【００３１】
（効果）
次に、本実施例の折り畳み式ベンチ１の奏する効果を列挙して説明する。
【００３２】
（１）本実施例の折り畳み式ベンチ１は、上述してきたように、正面部２と、正面部２に対向する背面部３と、対向する一対の側面部４、４であって、正面部２と背面部３とに回動自在に連結され、それぞれ２つ折りに折り曲げ可能に構成された、一対の側面部４、４と、正面部２に回動可能に連結されて、正面部２及び一対の側面部４、４の上に載置される座部５と、座部５に回動可能に連結された背もたれ部６と、を備えている。このような構成によれば、折り畳み動作が簡単であり、かつ、背もたれを備えることでベンチとして利用しやすい折り畳み式ベンチ１となる。
【００３３】
（２）また、背もたれ部６と背面部３とを連結するリンク部材７をさらに備え、背もたれ部６は、正面部２から背面部３までの距離に連動して、座部５に対する傾斜角度を変えるようにされていることで、簡単な構成によって背もたれ部６の傾斜角度を変えることができる。さらに、背面部３には、座部５の荷重が間接的に作用するため、人が座った状態で背面部３が移動することもなく、したがって傾斜角度が変わることもない。
【００３４】
（３）さらに、一対の側面部４、４の２つ折りの折曲角度は、１８０度よりも小さくされることで、下方から座部５を支持できるようにされている。このため、側面部４、４によって座部５を下方から支持することによって、座部５自体の剛性を必要とせず、座部５の軽量化を図ることができる。
【００３５】
（４）また、背もたれ部６は、座部５に対する傾斜角度が１８０度にされて、座部５と略同一平面を構成するようになっているため、折り畳み式ベンチ１をテーブルとして利用したり、広い座面を持つベンチとして利用したりできる。すなわち、本実施例の折り畳み式ベンチ１は、ベンチとフラットなテーブルの２通りの使い方ができるのである。
【００３６】
（５）その場合でも、一対の側面部４、４の２つ折りの折曲角度は、背もたれ部６と座部５とが略同一平面を構成する状態においても１８０度よりも小さくされて、下方から背もたれ部６と座部５とを支持できるようにされているため、テーブルとして利用する際にも、天板（座部５及び背もたれ部６）を下方から支持できる。
【００３７】
（６）また、座部５の背面寄りの端縁近傍に配置される持ち手８をさらに備え、持ち手８を上方に持ち上げることによって、一対の側面部４、４が２つ折りに折り曲げられ、座部５と背もたれ部６とが近接され、かつ、正面部２と背面部３とが近接されるようになっている。つまり、１つの動作で（ワンタッチで）簡単に折り畳み式ベンチ１を折り畳み（開閉することができ）、さらに持ち手８を持って運搬することができる。
【００３８】
以上、図面を参照して、本発明の実施例を詳述してきたが、具体的な構成は、この実施例に限らず、本発明の要旨を逸脱しない程度の設計的変更は、本発明に含まれる。
【符号の説明】
【００３９】
１：折り畳み式ベンチ
２：正面部
３：背面部
４：側面部
５：座部
６：背もたれ部
７：リンク部材
８：持ち手
【図１】
2018175002.tif 000003
【図２】
2018175002.tif 000004
【図３】
2018175002.tif 000005
【図４】
2018175002.tif 000006
【図５】
2018175002.tif 000007
【図６】
2018175002.tif 000008
【図７】
2018175002.tif 000009
【図８】
2018175002.tif 000010
【図９】
2018175002.tif 000011
【図１０】
2018175002.tif 000012
【図１１】
2018175002.tif 000013
【図１２】
2018175002.tif 000014
【図１３】
2018175002.tif 000015
【図１４】
2018175002.tif 000016
【図１５】
2018175002.tif 000017
【図１６】
2018175002.tif 000018